(57)【特許請求の範囲】
【請求項１】
電子部品包装用テープ(7)の側縁に沿って穿設したテープ送り孔(22)に、テープ送りローラ(20)の外周面に突設したテープ送り爪(21)を係止させた状態で、テープ送りローラ(20)を回動させることにより電子部品包装用テープ(7)を送出する電子部品包装用テープ送出装置において、
テープ送り爪(21)の左右側方位置に発光素子(26)と受光素子(27)とを設け、受光素子(27)で発光素子(26)から発せられた光を検出することによりテープ送り爪(21)の個数を計測して、テープ送りローラ(20)によって送出した電子部品包装用テープ(7)のテープ長を計測すべく構成したことを特徴とする電子部品包装用テープ送出装置のテープ長計測構造。
【請求項２】
電子部品包装用テープ(7)の側縁に沿って穿設したテープ送り孔(22)に、テープ送りローラ(20)の外周面に突設したテープ送り爪(21)を係止させた状態で、テープ送りローラ(20)を回動させることにより電子部品包装用テープ(7)を送出する電子部品包装用テープ送出装置において、
テープ送りローラ(20)には、円周方向へ向けてテープ送り爪(21)と同一のピッチで表裏を貫通する貫通孔を形成し、テープ送りローラ(20)の表面側方位置に発光素子(26)を配置する一方、テープ送りローラ(20)の裏面側方位置であって、かつ、発光素子(26)と対向する位置に受光素子(27)を配置して、発光素子(26)から発せられて貫通孔を通過した光を受光素子(27)で検出することによりテープ送り爪(21)の個数を計測して、テープ送りローラ(20)によって送出した電子部品包装用テープ(7)のテープ長を計測すべく構成したことを特徴とする電子部品包装用テープ送出装置のテープ長計測構造。
【発明の詳細な説明】
【０００１】
【発明の属する技術分野】
本発明は、電子部品包装用テープ送出装置のテープ長計測構造に関するものである。
【０００２】
【従来の技術】
従来の電子部品包装用テープ送出装置50としては、図５に示すように、電子部品51を間隔を開けて収容するための電子部品包装用テープ52の側縁に電子部品51と同一の間隔で形成したテープ送り孔53に、テープ送りローラ54の外周面に突設したテープ送り爪55を係止させた状態でテープ送りローラ54を回動させることにより電子部品包装用テープ52を送出するようにしていた。
【０００３】
そして、テープ送り孔53の直上方位置に発光素子56を配設する一方、同発光素子56の直下方位置に受光素子57を配設し、発光素子56から発せられテープ送り孔53を通過した光を受光素子57で検知することにより、発光素子56と受光素子57との間を通過するテープ送り孔53の個数を計測して、送出された電子部品包装用テープ52のテープ長を計測していた。
【０００４】
【発明が解決しようとする課題】
ところが、上記従来の電子部品包装用テープ送出装置50にあっては、電子部品包装用テープ52のキャリアテープ58とカバーテープ59との接着ずれによってテープ送り孔53が塞がれてしまい、テープ送り孔53の個数を計測することができず、テープ長を正確に計測できない場合があった。
【０００５】
また、キャリアテープ58としてプラスチック製のエンボステープを用いた場合には、キャリアテープ58が半透明であるため、テープ送り孔53以外の部分においても発光素子55から発せられた光がキャリアテープ58を透過してしまい、テープ送り孔53の個数を誤って計測してしまい、これによっても、テープ長を正確に計測できない場合があった。
【０００６】
【課題を解決するための手段】
そこで、本発明では、電子部品包装用テープの側縁に沿って穿設したテープ送り孔に、テープ送りローラの外周面に突設したテープ送り爪を係止させた状態で、テープ送りローラを回動させることにより電子部品包装用テープを送出する電子部品包装用テープ送出装置において、テープ送り爪の左右側方位置に発光素子と受光素子とを設け、受光素子で発光素子から発せられた光を検出することによりテープ送り爪の個数を計測して、テープ送りローラによって送出した電子部品包装用テープのテープ長を計測すべく構成することとした。
【０００７】
また、電子部品包装用テープの側縁に沿って穿設したテープ送り孔に、テープ送りローラの外周面に突設したテープ送り爪を係止させた状態で、テープ送りローラを回動させることにより電子部品包装用テープを送出する電子部品包装用テープ送出装置において、テープ送りローラには、円周方向へ向けてテープ送り爪と同一のピッチで表裏を貫通する貫通孔を形成し、テープ送りローラの表面側方位置に発光素子を配置する一方、テープ送りローラの裏面側方位置であって、かつ、発光素子と対向する位置に受光素子を配置して、発光素子から発せられて貫通孔を通過した光を受光素子で検出することによりテープ送り爪の個数を計測して、テープ送りローラによって送出した電子部品包装用テープのテープ長を計測すべく構成することとした。
【０００８】
【発明の実施の形態】
本発明に係る電子部品包装用テープ送出装置は、電子部品包装用テープの側縁に沿って穿設したテープ送り孔に、テープ送りローラの外周面に突設したテープ送り爪を係止させた状態で、テープ送りローラを回動させることにより電子部品包装用テープを送出するものである。
【０００９】
しかも、テープ送りローラの円周方向へ向けてテープ送り爪と同一のピッチで形成した被計測部と、同被計測部の個数を計測するための計測器とを具備したものである。
【００１０】
そして、被計測部の個数を計測することにより、テープ送りローラによって送出した電子部品包装用テープのテープ長を計測すべく構成したものである。
【００１１】
従って、電子部品包装用テープのキャリアテープとカバーテープとの接着ずれによってテープ送り孔が塞がれていても、正確にテープ長を計測することができるものである。
【００１２】
また、キャリアテープとして半透明状のエンボステープを用いた場合にも、正確にテープ長を計測することができるものである。
【００１３】
また、前記被計測部として、テープ送りローラに穿設した貫通孔を用いることにより、被計測部の構造を簡単な構成のものとして、電子部品包装用テープ送出装置の製造費を低廉化することができるとともに、メンテナンス性を向上させることができるものである。
【００１４】
しかも、テープ送りローラに貫通孔を穿設しているため、テープ送りローラが軽量化され、テープ送りローラを回動させるためのモータの負荷を軽減することができるものである。
【００１５】
また、前記被計測部として、テープ送り爪を兼用することによっても、被計測部の構造を簡単な構成のものとして、電子部品包装用テープ送出装置の製造費を低廉化することができるとともに、メンテナンス性を向上させることができるものである。
【００１６】
【実施例】
以下に、本発明の実施例について図面を参照しながら説明する。
【００１７】
図１は、本発明に係る電子部品包装用テープ送出装置のテープ長計測構造１を具備するテーピング機２とテープ編集機３の使用状態を示した図であり、テーピング機２によってキャリアテープ４とカバーテープ５との間にチップ型抵抗器、半導体ＩＣ等の電子部品６を一定の間隔を開けて収容して、電子部品包装用テープ７を形成した後、テープ編集機３によってリール８に電子部品包装用テープ７を巻回している。
【００１８】
テーピング機２は、テーピング機本体９にキャリアテープ４を送出するためのキャリアテープ送出部10と、カバーテープ５を送出するためのカバーテープ送出部11と、電子部品６を供給するための電子部品供給部12と、同電子部品供給部12から供給された電子部品６をキャリアテープ４とカバーテープ５との間に収容して、キャリアテープ４にカバーテープ５を加熱圧着する接着部13とをそれぞれ配設している。図中、14は制御部、15は未接着検出部である。
【００１９】
テープ編集機３は、編集機本体16に空のリール８を供給するためのリール供給部17と、同リール供給部17から供給されたリール８に電子部品包装用テープ７を巻き取るためのテープ巻取部18と、リール８に電子部品包装用テープ７を巻き取ったリール８を収容するためのリール収容部28とをそれぞれ配設している。
【００２０】
そして、テーピング機２の接着部13とテープ編集機３のテープ巻取部18には、電子部品包装用テープ送出装置19を配設している。
【００２１】
電子部品包装用テープ送出装置19は、図２に示すように、駆動モータ（図示省略）に連動連結したテープ送りローラ20の外周面に円周方向へ向けて等間隔にテープ送り爪21を突設し、同テープ送り爪21に、電子部品包装用テープ７の側縁に沿って等間隔に穿設したテープ送り孔22を係止させた状態で、テープ送りローラ20を回動することにより、電子部品包装用テープ７を送出している。図中、23はテープ送りローラ20の直上方位置に配設した押圧ローラである。
【００２２】
電子部品包装用テープ送出装置19には、図２及び図３に示すように、テープ送りローラ20の円周方向へ向けてテープ送り爪21と同一のピッチで形成した被計測部24と、同被計測部24の個数を計測するための計測器25とからなるテープ長計測構造１を設けている。
【００２３】
被計測部24は、テープ送りローラ20に、テープ送りローラ20の表裏を貫通する貫通孔を、テープ送りローラ20の円周方向へ向けてテープ送り爪21と同一ピッチで穿設している。
【００２４】
計測器25は、テープ送りローラ20の表面側方位置に発光素子26を配置する一方、テープ送りローラ20の裏面側方位置であって、かつ、発光素子26と対向する位置に受光素子27を配置して、発光素子26から発せられた光を受光素子27で検出するようにしている。
【００２５】
そして、計測器25は、発光素子26から発せられた光のうち、テープ送りローラ20の被計測部24である貫通孔を通過した光を受光素子27で検出することにより、被計測部24の個数を計測しており、これにより、電子部品包装用テープ７のテープ長を計測するようにしている。
【００２６】
このように、電子部品包装用テープ送出装置19に被計測部24と計測器25とを具備して、同計測器25によって被計測部24の個数を計測しているため、電子部品包装用テープ７のキャリアテープ４とカバーテープ５との接着ずれによってテープ送り孔22が塞がれていても、正確にテープ長を計測することができる。
【００２７】
また、キャリアテープ４として半透明状のエンボステープを用いた場合にも、正確にテープ長を計測することができる。
【００２８】
また、被計測部24として、テープ送りローラ20に穿設した貫通孔を用いることにより、被計測部24の構造を簡単な構成のものとして、電子部品包装用テープ送出装置19の製造費を低廉化することができるとともに、メンテナンス性を向上させることができる。
【００２９】
しかも、テープ送りローラ20に貫通孔を穿設しているため、テープ送りローラ20が軽量化され、テープ送りローラ20を回動させるためのモータの負荷を軽減することができる。
【００３０】
図４は、他実施例としての電子部品包装用テープ送出装置19を示した図であり、本実施例においては、被計測部24としてテープ送り爪21を兼用して用いている。
【００３１】
そして、計測器25の発光素子26及び受光素子27をテープ送り爪21の左右側方位置にそれぞれ配設して、テープ送り爪21の個数を計測することにより、電子部品包装用テープ７のテープ長を計測するようにしている。
【００３２】
このように、被計測部24としてテープ送り爪21を兼用しているため、被計測部24を簡単な構成のものとして、電子部品包装用テープ送出装置19の製造費を低廉化することができるとともに、メンテナンス性を向上させることができる。
【００３３】
【発明の効果】
本発明は、以上説明したような形態で実施され、以下に記載されるような効果を奏する。
【００３４】
【課題を解決するための手段】
請求項１記載の発明では、電子部品包装用テープの側縁に沿って穿設したテープ送り孔に、テープ送りローラの外周面に突設したテープ送り爪を係止させた状態で、テープ送りローラを回動させることにより電子部品包装用テープを送出する電子部品包装用テープ送出装置において、テープ送り爪の左右側方位置に発光素子と受光素子とを設け、受光素子で発光素子から発せられた光を検出することによりテープ送り爪の個数を計測して、テープ送りローラによって送出した電子部品包装用テープのテープ長を計測すべく構成していることによって、電子部品包装用テープの製造精度や材質によらずに、テープ長を正確に計測することができる。特に、テープ送り爪を用いて計測を行うことによって構造を簡単な構成のものとして、電子部品包装用テープ送出装置の製造費を低廉化することができるとともに、メンテナンス性を向上させることができる。
【００３５】
請求項２記載の発明では、電子部品包装用テープの側縁に沿って穿設したテープ送り孔に、テープ送りローラの外周面に突設したテープ送り爪を係止させた状態で、テープ送りローラを回動させることにより電子部品包装用テープを送出する電子部品包装用テープ送出装置において、テープ送りローラには、円周方向へ向けてテープ送り爪と同一のピッチで表裏を貫通する貫通孔を形成し、テープ送りローラの表面側方位置に発光素子を配置する一方、テープ送りローラの裏面側方位置であって、かつ、発光素子と対向する位置に受光素子を配置して、発光素子から発せられて貫通孔を通過した光を受光素子で検出することによりテープ送り爪の個数を計測して、テープ送りローラによって送出した電子部品包装用テープのテープ長を計測すべく構成していることによって、電子部品包装用テープの製造精度や材質によらずに、テープ長を正確に計測することができる。特に、テープ送りローラに貫通孔を穿設しているため、テープ送りローラが軽量化され、テープ送りローラを回動させるためのモータの負荷を軽減することができる。
【図面の簡単な説明】
【図１】本発明に係る電子部品包装用テープ送出装置のテープ長計測構造を具備するテーピング機とテープ編集機の使用状態を示す斜視図。
【図２】電子部品包装用テープ送出装置のテープ長計測構造を示す斜視図。
【図３】同側面図。
【図４】他実施例としての電子部品包装用テープ送出装置のテープ長計測構造を示す側面図。
【図５】従来の電子部品包装用テープ送出装置のテープ長計測構造を示す斜視図。
【符号の説明】
１  テープ長計測構造
２  テーピング機
３  テープ編集機
４  キャリアテープ
５  カバーテープ
６  電子部品
７  電子部品包装用テープ
８  リール
19  電子部品包装用テープ送出装置
20  テープ送りローラ
21  テープ送り爪
22  テープ送り孔
24  被計測部
25  計測器
26  発光素子
27  受光素子
【図１】
0003828281.tif 000002
【図２】
0003828281.tif 000003
【図３】
0003828281.tif 000004
【図４】
0003828281.tif 000005
【図５】
0003828281.tif 000006